【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
他のパケット中継装置と接続され、複数の入力回線と、複数の出力回線と、制御部とを備え、前記複数の入力回線のうちの一つの入力回線から入力された入力パケットを前記複数の出力回線の何れかの出力回線に出力するパケット中継装置であって、
前記パケット中継装置は、第１乃至第３の動作うち第１および第２の動作が可能であり、
前記他のパケット中継装置は、前記第３の動作が可能であり、
前記第１の動作において前記制御部は、前記入力パケットのアドレス情報、アプリケーションを識別する情報のうち少なくとも一つの情報に基づいて該パケットに対して通信品質制御を適用するものであり、
前記第２の動作において前記制御部は、前記入力パケットのヘッダ内の優先度を識別する情報に基づいて、該パケットに対して通信品質制御を適用するものであり、
前記第３の動作において前記他のパケット中継装置は、前記入力パケットの前記アドレス情報、前記アプリケーションを識別する情報のうち少なくとも一つの情報に基づいて前記入力パケットのヘッダ内に優先度を識別する情報を付与し、さらに前記アドレス情報、前記アプリケーションを識別する情報、または前記優先度を識別する情報のうち少なくとも一つの情報に基づいて該パケットに対して通信品質制御を適用するものであり、
さらに前記制御部は、前記第２の動作において、前記他のパケット中継装置における前記第３の動作によって付与された前記優先度を識別する情報に基づいて、該パケットに対して通信品質制御を適用するものであり、
前記制御部は、前記第１の動作または前記第２の動作の何れの動作を入力パケットに対して適用するかを判断することを特徴とするパケット中継装置。
【請求項２】
前記第１の動作、前記第２の動作及び前記第３の動作のうちの少なくとも２つの動作のうち何れの動作を適用するかを示す動作情報を、入力回線対応に保持する動作テーブルを有し、
前記制御部は、前記入力パケットが何れの入力回線から入力されたかに応じて、該パケットに対して何れの動作を適用するかを判断することを特徴とする請求項１に記載のパケット中継装置。
【請求項３】
前記制御部は、入力パケットのアドレス情報、アプリケーションを識別する情報のうち少なくとも一つの情報と、前記第１の動作、前記第２の動作及び前記第３の動作のうちの少なくとも２つの動作のうち何れの動作を適用するかを示す動作情報とをエントリとするエントリテーブルを有することを特徴とする請求項１に記載のパケット中継装置。
【請求項４】
前記アドレス情報は、
[1]前記入力回線の識別番号、
[2]前記出力回線の識別番号、
[3]送信元の物理アドレス、
[4]送信先の物理アドレス、
[5]送信元サブネット識別情報、
および、
[6]送信先サブネット識別情報、
のうちの少なくともひとつであることを特徴とする請求項１乃至請求項３の何れかに記載のパケット中継装置。
【請求項５】
前記アプリケーションを識別する情報は、TCPポート番号であることを特徴とする請求項１乃至４の何れかに記載のパケット中継装置。
【請求項６】
前記パケットヘッダ内の優先度を識別する情報は、DSフィールドの値であることを特徴とする請求項１乃至５の何れかに記載のパケット中継装置。
【請求項７】
他のパケット中継装置と接続され、複数の入力回線と、複数の出力回線と、制御部とを備え、前記複数の入力回線のうちの一つの入力回線から入力された入力パケットを前記複数の出力回線の何れかの出力回線に出力するパケット中継装置であって、
前記パケット中継装置は、第１乃至第３のモードのうち第１のモードと第２のモードで動作可能であり、
前記他のパケット中継装置は、前記第３のモードで動作が可能であり、
前記第１のモードにおいて前記制御部は、前記入力パケットのヘッダ内に優先度を識別する情報を付与せずに、前記入力パケットのアドレス情報、アプリケーションを識別する情報のうち少なくとも一つの情報に基づいて該パケットに対して通信品質制御を適用するものであり、
前記第２のモードにおいて前記制御部は、前記入力パケットのヘッダ内の優先度を識別する情報に基づいて、該パケットに対して通信品質制御を適用するものであり、
前記第３のモードにおいて前記他のパケット中継装置は、前記入力パケットの前記アドレス情報、前記アプリケーションを識別する情報のうち少なくとも一つの情報に基づいて前記入力パケットのヘッダ内に優先度を識別する情報を付与するものであり、
さらに前記制御部は、前記第２の動作において、前記他のパケット中継装置における前記第３のモードによって付与された前記優先度を識別する情報に基づいて、該パケットに対して通信品質制御を適用するものであり、
前記制御部は、前記第１のモードまたは前記第２のモードの何れのモードを入力パケットに対して適用するかを判断することを特徴とするパケット中継装置。
【請求項８】
他のパケット中継装置と管理装置とに接続され、複数の入力回線と、複数の出力回線と、制御部とを備え、前記複数の入力回線のうちの一つの入力回線から入力された入力パケットを前記複数の出力回線の何れかの出力回線に出力するパケット中継装置であって、
前記パケット中継装置は、第１乃至第３の動作のうち第１及び第２の動作が可能であり、
前記他のパケット中継装置は、前記第３の動作が可能であり、
前記第１の動作において前記制御部は、前記入力パケットのアドレス情報、アプリケーションを識別する情報のうち少なくとも一つの情報に基づいて該パケットに対して通信品質制御を適用するものであり、
前記第２の動作において前記制御部は、前記入力パケットのヘッダ内の優先度を識別する情報に基づいて、該パケットに対して通信品質制御を適用するものであり、
前記第３の動作において前記他のパケット中継装置は、前記入力パケットの前記アドレス情報、前記アプリケーションを識別する情報のうち少なくとも一つの情報に基づいて前記入力パケットのヘッダ内に優先度を識別する情報を付与し、さらに前記アドレス情報、前記アプリケーションを識別する情報、または前記優先度を識別する情報のうち少なくとも一つの情報に基づいて該パケットに対して通信品質制御を適用するものであり、
さらに前記制御部は、前記第２の動作において、前記他のパケット中継装置における前記第３の動作によって付与された前記優先度を識別する情報に基づいて、該パケットに対して通信品質制御を適用するものであり、
前記制御部は、前記管理装置からの入力に従って、前記第１の動作または前記第２の動作の何れかの動作を入力パケットに対して適用することを特徴とするパケット中継装置。
【請求項９】
前記第１の動作、前記第２の動作及び前記第３の動作のうちの少なくとも２つの動作のうち何れの動作を適用するかを示す動作情報を、入力回線対応に保持する動作テーブルを有し、
前記制御部は、前記入力パケットが何れの入力回線から入力されたかに応じて、該パケットに対して何れの動作を適用するかを判断することを特徴とする請求項８に記載のパケット中継装置。
【請求項１０】
前記制御部は、入力パケットのアドレス情報、アプリケーションを識別する情報のうち少なくとも一つの情報と、前記第１の動作、前記第２の動作及び前記第３の動作のうちの少なくとも２つの動作のうち何れの動作を適用するかを示す動作情報とをエントリとするエントリテーブルを有することを特徴とする請求項８に記載のパケット中継装置。
【請求項１１】
前記アドレス情報は、
[1]前記入力回線の識別番号、
[2]前記出力回線の識別番号、
[3]送信元の物理アドレス、
[4]送信先の物理アドレス、
[5]送信元サブネット識別情報、
および、
[6]送信先サブネット識別情報、
のうちの少なくともひとつであることを特徴とする請求項８乃至請求項１０の何れかに記載のパケット中継装置。
【請求項１２】
前記アプリケーションを識別する情報は、TCPポート番号であることを特徴とする請求項８乃至１１の何れかに記載のパケット中継装置。
【請求項１３】
前記パケットヘッダ内の優先度を識別する情報は、DSフィールドの値であることを特徴とする請求項８乃至１２の何れかに記載のパケット中継装置。
【請求項１４】
他のパケット中継装置と管理装置に接続され、複数の入力回線と、複数の出力回線と、制御部とを備え、前記複数の入力回線のうちの一つの入力回線から入力された入力パケットを前記複数の出力回線の何れかの出力回線に出力するパケット中継装置であって、
前記パケット中継装置は、第１乃至第３のモードのうち、第１のモードと第２のモードで動作可能であり、
前記他のパケット中継装置は、前記第３のモードで動作可能であり、
前記第１のモードにおいて前記制御部は、前記入力パケットのヘッダ内に優先度を識別する情報を付与せずに、前記入力パケットのアドレス情報、アプリケーションを識別する情報のうち少なくとも一つの情報に基づいて該パケットに対して通信品質制御を適用するものであり、
前記第２のモードにおいて前記制御部は、前記入力パケットのヘッダ内の優先度を識別する情報に基づいて、該パケットに対して通信品質制御を適用するものであり、
前記第３のモードにおいて前記他のパケット中継装置は、前記入力パケットの前記アドレス情報、前記アプリケーションを識別する情報のうち少なくとも一つの情報に基づいて前記入力パケットのヘッダ内に優先度を識別する情報を付与するものであり、
さらに前記制御部は、前記第２の動作において、前記他のパケット中継装置における前記第３の動作によって付与された前記優先度を識別する情報に基づいて、該パケットに対して通信品質制御を適用するものであり、
前記制御部は、前記管理装置からの入力に従って、前記第１のモードまたは前記第２のモードの何れかのモードを入力パケットに対して適用することを特徴とするパケット中継装置。